【事件の表示】
　平成１１年特許願第２１５３６６号「画像入出力装置及び画像入出力方法」拒絶査定不服審判事件〔平成１３年　２月１６日出願公開、特開２００１−　４５１９１〕について、次のとおり審決する。
【結　論】
　本件審判の請求は、成り立たない。
【理　由】
１．手続の経緯
　本願は、平成１１年７月２９日の出願であって、平成１８年２月１５日付けで拒絶査定がなされ、これに対し、同年３月２３日に拒絶査定に対する審判請求がなされるとともに、同日付けで手続補正がなされたものである。
　
２．特許請求の範囲の記載
　本願の特許請求の範囲の記載は、平成１８年３月２３日付けで補正されたとおりであり、その請求項１の記載は次のとおりである。
　
「画像データを入力する少なくとも一つの画像入力手段と、
　前記入力された画像データを記憶する記憶手段と、
　前記記憶手段に記憶された画像データを出力する画像出力手段と、を有する画像入出力装置であって、
　前記画像入力手段から前記記憶手段に画像転送する画像入力ジョブを制御し、且つ、前記記憶手段から画像出力手段に画像転送する画像出力ジョブを制御する制御手段と、前記記憶手段のメモリフルを判断する検知手段と、を有し、
　前記制御手段は、
　前記記憶手段のメモリフルが発生したら、現在入力中のジョブの入力を中断し、
　更に、前記制御手段は、
　前記メモリフル発生時点で、前記画像出力手段による出力が中断状態のジョブが存在しない場合に、前記記憶手段の画像データを画像出力手段により出力することで前記記憶手段の空き領域を確保させるか、前記記憶手段の画像データを画像出力手段により出力せずに破棄することで前記記憶手段の空き領域を確保させ、
　且つ、前記制御手段は、
　前記メモリフル発生時点で、既に前記記憶手段への入力は完了し且つ前記画像出力手段による出力が中断状態のジョブが存在する場合に、前記記憶手段の画像データを画像出力手段により出力することで前記記憶手段の空き領域を確保させることを特徴とする画像入出力装置。」
　
３．原審の拒絶理由
　拒絶査定の理由となった、平成１７年７月５日付けの拒絶理由は次のとおりである。
　
「この出願は、特許請求の範囲の記載が下記の点で、特許法第３６条第６項第１号、第２号に規定する要件を満たしていない。
　
　　　　　　　　　　　　　　　　 記
　請求項１−４には、「第１の制御モード」、「第２の制御モード」、「第３の制御モード」が記載されているが、これらがどのようなモードであるのか、請求項の記載からは明確に理解できない。また、発明の詳細な説明を参酌しても、実施例のどの部分がこれらの制御モードに相当するものなのか、さらに、３つの制御モードを、データ入力が完了し出力を行っているジョブがあるか否かの判断結果に基づいて選択することは実施例のどの部分に対応するものなのか全く不明である。
　よって、請求項１−４に係る発明は、発明の詳細な説明に記載したものでなく、また、明確でない。」
　
４．本願の明細書の記載
　本願の明細書の発明の詳細な説明には、ディスクフル発生後の処理として以下の記載がなされている。
　
４−１．「【０１１７】
　次に図１３を用いて、図６のステップＳ６１５でストレージ部５のハードディスク６に画像データを記憶する際に、記憶領域が一つも確保できなかった場合（ディスクフル）の説明を行う。図１３はディスクフル発生後の処理を示したフローチャートである。なお、図中のＳ１３０１〜Ｓ１３０６は各ステップを示す。
　　　【０１１８】
　図１３において、ステップＳ１３０１では、現在入力中のジョブに関して、ひとまず画像の入力を中断する処理を行う。
　　　【０１１９】
　次にステップＳ１３０２で記憶領域に余裕が有るか無いか確認を行い、余裕が有る場合は、ステップＳ１３０７で入力を中断したジョブの再開を行う。一方ステップＳ１３０２で記憶領域に余裕が無いと確認された場合は、ステップＳ１３０３で、現在出力中のジョブが有るか否かを判断し、無い場合はステップＳ１３０６へ分岐する。ステップＳ１３０３で出力中のジョブが有ると確認された場合は、ステップＳ１３０４にて、出力中のジョブで入力を完了したジョブが有るか無いかを判断し、有る場合には、ステップＳ１３０２へ分岐する。無い場合には、ステップＳ１３０５に分岐して、出力中のジョブで、何らかの原因で出力中断状態のジョブが有るか否かを判断する。出力中断状態のジョブが有ると判断された場合とは、例えば、出力中に画像を形成するための用紙が無くなり出力中断しているジョブや、ジャムや、トナー切れなどの要因で、画像形成が出来ない状態で出力が中断しているジョブなどである。このようなジョブが有る場合、それらの中断要因を解除することで、出力が再開され、メモリの空き領域が増える可能性が有るので、ステップＳ１３０５、ステップＳ１３０２、ステップＳ１３０３、ステップＳ１３０４でループを形成して、出力が再開されるのを待つ。ステップＳ１３０５において出力中のジョブで、出力が中断状態になっているジョブが無いと判断された場合、ステップＳ１３０６へ分岐する。ステップＳ１３０６は、図１０の　に処理を移す。」
　
４−２．「【０１２０】
　次に、図１０を用いて、図１３のフローにおいて、記憶容量の領域確保が出来る見込みが無いと判断され、ステップＳ１３０６から処理が移された場合のフローを説明する。
　　　【０１２１】
　図中のＳ１００１〜Ｓ１０１０は各ステップを示す。
　　　【０１２２】
　ステップＳ１００１では、セッション管理テーブル７００を調べることにより、動作中の画像入力ジョブを含む画像入出力セッションを中断し、動作中の画像入力ジョブを含む画像入出力セッションのセッションステータスフィールド７０４及び画像入力ジョブ管理テーブル７１０のジョブステータスフィールド７１４を中断状態として書き込む。
　　　【０１２３】
　ステップＳ１００２では、画像入力ジョブを含む画像入出力セッションが同時に複数存在するか否かを調べる。複数の画像入出力セッションが存在する場合は、ステップＳ１００３に進み、存在する画像入出力セッションが一つの場合はステップＳ１００４に進む。
　　　【０１２４】
　ステップＳ１００３では、ステップＳ１００１で中断された複数の画像入出力セッションの内のどの画像入出力セッションを中止（キャンセル）するかを選択する。
……
　　　【０１３１】
　ステップＳ１００９では、ステップＳ１００１で中断された他の画像入力ジョブを含む画像入出力セッションを再開し、ステップＳ１０１０へ進む。
　　　【０１３２】
　ステップＳ１０１０では、ステップＳ１００９にて再開した画像出力ジョブが全て終了したかどうかを判断する。終了していない場合はステップＳ１０１０へ、終了した場合は、当該画像入出力セッションに関する終了処理をして継続の動作を行う。」
　
　また、図１０にハードディスクフル時の制御状況の一例を示すフローチャートが、図１３にハードディスクフル時の動作の一例を示すフローチャートが、それぞれ記載されている。
　
５．当審の判断
　請求項１の
「前記制御手段は、
　前記メモリフル発生時点で、既に前記記憶手段への入力は完了し且つ前記画像出力手段による出力が中断状態のジョブが存在する場合に、前記記憶手段の画像データを画像出力手段により出力することで前記記憶手段の空き領域を確保させることを特徴とする」
点が、発明の詳細な説明に記載された事項であるか検討する。
　上記４−１．及び図１３の記載からディスクフル発生後の処理は、以下の場合に分けることができる。
　
場合１．記憶領域に余裕が有る場合。（ステップＳ１３０２「はい」）
　
場合２．記憶領域に余裕が無い場合で、（ステップＳ１３０２「いいえ」）
　　　　　出力中のジョブが無い場合。（ステップＳ１３０３「いいえ」）
　
場合３．記憶領域に余裕が無い場合で、
　　　　　出力中のジョブが有る場合で、（ステップＳ１３０３「はい」）
　　　　　　出力中のジョブで入力を完了したジョブが有る場合。
　　　　　　（ステップＳ１３０４「はい」）
　
場合４．記憶領域に余裕が無い場合で、
　　　　　出力中のジョブが有る場合で、
　　　　　　出力中のジョブで入力を完了したジョブが無い場合で、
　　　　　　（ステップＳ１３０４「いいえ」）
　　　　　　　出力中のジョブで出力中断状態のジョブが有る場合。
　　　　　　　（ステップＳ１３０５「はい」）
　
場合５．記憶領域に余裕が無い場合で、
　　　　　出力中のジョブが有る場合で、
　　　　　　出力中のジョブで入力を完了したジョブが無い場合で、
　　　　　　　出力中のジョブで出力中断状態のジョブが無い場合。
　　　　　　　（ステップＳ１３０５「いいえ」）
　
　「前記メモリフル発生時点で、既に前記記憶手段への入力は完了し且つ前記画像出力手段による出力が中断状態のジョブが存在する場合」は、上記場合１−５のいずれにも該当しないから、どのような処理とするかも特定されていない。
　
　上記４−２．及び図１０の記憶容量の領域確保が出来る見込みが無いと判断された場合の処理は、上記場合２又は場合５と判断された場合の処理であり、「前記メモリフル発生時点で、既に前記記憶手段への入力は完了し且つ前記画像出力手段による出力が中断状態のジョブが存在する場合」になされるものではない。
　
　また、発明の詳細な説明及び図面の他の記載においても、「前記メモリフル発生時点で、既に前記記憶手段への入力は完了し且つ前記画像出力手段による出力が中断状態のジョブが存在する場合」を判断すること、及びその場合の処理については、特許請求の範囲と同一の文言が記載された段落【００１２】が有るだけで、実質的な記載はない。
　
　したがって、請求項１に係る特許を受けようとする発明は、発明の詳細な説明に記載したものであるとはいえない。
　
　なお、請求人は、請求の理由において、
「第３　本願発明が特許されるべき理由
……
　（２）本出願人は、……
　まず、『前記メモリフル発生時点で、既に前記記憶手段への入力は完了し且つ前記画像出力手段による出力が中断状態のジョブが存在する場合』とは、実施例の図１３のＳ１３０４の「はい」の場合が該当します。 
　なぜなら、まず、図１３の処理は、ＨＤフル時の処理フローです。且つ、Ｓ１３０３で「はい」になる場合とは「出力中のジョブがある」事を意味しております。そして、その直後のＳ１３０４で「はい」になる場合とは、「出力中のジョブで入力を完了したジョブがある」事を意味します。一方、この図１３の処理は、処理が中断している状態です。つまり、このＳ１３０４の「出力中のジョブ」とは「現在、処理が中断している出力ジョブ」であり、且つ、このＳ１３０４で「はい」になるという事は、「現在、処理が中断しているジョブがあり、且つ、入力は完了しているジョブが存在する」事を意味しております。 
　つまり、図１３でＨＤフル→Ｓ１３０３で「はい」→Ｓ１３０４で「はい」という判断を下すとということは、『前記メモリフル発生時点で、既に前記記憶手段への入力は完了し且つ前記画像出力手段による出力が中断状態のジョブが存在する場合』を意味しております。また、具体例で換言すると、このようなジョブは、［０１１９］の如く、「出力中に画像を形成する為の用紙がなくなり出力中断しているジョブや、ジャムや、トナー切れなどの要因で、画像形成ができない状態で出力が中断しているジョブ」のことを意味します。 
　そして、このＳ１３０４で「はい」にいくと、Ｓ１３０２へ移行してループを形成します。そして、このループの意味は、［０１１９］の如く、このような「出力中に画像を形成する為の用紙がなくなり出力中断しているジョブや、ジャムや、トナー切れなどの要因で、画像形成ができない状態で出力が中断しているジョブ」の中断要因が解除されることで印刷が再開される、これにより、空き容量の確保を図るものであります。 
　これにより、本願請求項１の上記記載の如く『前記記憶手段の画像データを画像出力手段により出力することで前記記憶手段の空き領域を確保させる』となります。 」
と主張している。
　段落【０１１８】及び図１３の記載から、ステップＳ１３０１では、現在入力中のジョブに関して、画像の入力を中断する処理を行うが、出力中のジョブを中断することについては、何らの特定もない。
　そして、図１０の処理のように動作中の画像入出力セッションを中断するものであれば、画像入出力セッションに含まれる出力ジョブは処理が中断している出力ジョブといえるが、入力中のジョブに関して中断する処理を行うだけの図１３の処理において、Ｓ１３０４の「出力中のジョブ」が「現在、処理が中断している出力ジョブ」ということはできない。
　また、段落【０１１９】には、「出力中断状態のジョブが有ると判断された場合とは、例えば、出力中に画像を形成するための用紙が無くなり出力中断しているジョブや、ジャムや、トナー切れなどの要因で、画像形成が出来ない状態で出力が中断しているジョブなどである。このようなジョブが有る場合、それらの中断要因を解除することで、出力が再開され、メモリの空き領域が増える可能性が有るので、ステップＳ１３０５、ステップＳ１３０２、ステップＳ１３０３、ステップＳ１３０４でループを形成して、出力が再開されるのを待つ。」と記載されており、ステップＳ１３０５、ステップＳ１３０２、ステップＳ１３０３、ステップＳ１３０４でループを形成するのは、ステップＳ１３０４で「いいえ」と、出力中のジョブで入力を完了したジョブが無いと判断した場合であるから、段落【０１１９】の記載を「そして、このＳ１３０４で「はい」にいくと、Ｓ１３０２へ移行してループを形成します。そして、このループの意味は、［０１１９］の如く、このような「出力中に画像を形成する為の用紙がなくなり出力中断しているジョブや、ジャムや、トナー切れなどの要因で、画像形成ができない状態で出力が中断しているジョブ」の中断要因が解除されることで印刷が再開される、これにより、空き容量の確保を図るものであります。」との主張の根拠とすることもできない。
　
６．むすび
　以上のとおり、本願の特許請求の範囲の記載は特許法第３６条第６項第１号に規定する要件を満たしていない。
　よって、結論のとおり審決する。